(57)【要約】【課題】本発明は、従来にない作用効果を発揮するペット用トイレを提供することを目的とする。【解決手段】上部に排泄部２が設けられた箱状体１であり、この箱状体１の下部には該箱状体１の内部と外部とを通気する第一通気孔部３が設けられ、また、前記箱状体１の上部には該箱状体１の内部と外部とを通気する第二通気孔部４が設けられ、前記排泄部２の下方位置には、上部開口部を有し前記排泄部２を通過して落下する尿を受ける尿受け容体７が設けられ、前記箱状体１の内部にして前記第二通気孔部４へ流れる空気が通過する通気空間17には殺菌部20が設けられ、この殺菌部20は、前記箱状体１に設けられる光触媒11及び該光触媒11に光を照射する光照射部12で構成されたものである。【選択図】図１
2020022432.tif 000002
【特許請求の範囲】
【請求項１】
上部に排泄部が設けられた箱状体であり、この箱状体の下部には該箱状体の内部と外部とを通気する第一通気孔部が設けられ、また、前記箱状体の上部には該箱状体の内部と外部とを通気する第二通気孔部が設けられ、前記排泄部の下方位置には、上部開口部を有し前記排泄部を通過して落下する尿を受ける尿受け容体が設けられ、前記箱状体の内部にして前記第二通気孔部へ流れる空気が通過する通気空間には殺菌部が設けられ、この殺菌部は、前記箱状体に設けられる光触媒及び該光触媒に光を照射する光照射部で構成されていることを特徴とするペット用トイレ。
【請求項２】
請求項１記載のペット用トイレにおいて、前記箱状体の内部に設けられる基材に前記光触媒が設けられていることを特徴とするペット用トイレ。
【請求項３】
請求項２記載のペット用トイレにおいて、前記基材は前記箱状体の内部に出し入れ自在に設けられていることを特徴とするペット用トイレ。
【請求項４】
請求項１〜３いずれか１項に記載のペット用トイレにおいて、前記光触媒として酸化チタンを採用したことを特徴とするペット用トイレ。
【請求項５】
請求項１〜４いずれか１項に記載のペット用トイレにおいて、前記箱状体には、光が透過可能な光透過部が設けられ、この光透過部から透過した光が前記光触媒に照射されるように構成されていることを特徴とするペット用トイレ。
【請求項６】
請求項１〜５いずれか１項に記載のペット用トイレにおいて、前記尿受け容体は、前記箱状体の周面部に設けられた周面開口部から出し入れ自在に設けられていることを特徴とするペット用トイレ。
【請求項７】
請求項１〜６いずれか１項に記載のペット用トイレにおいて、前記排泄部には砂材が配される砂受け部が設けられ、この砂受け部の底はメッシュ底部として設けられ、前記尿受け容体の上部開口部は、前記メッシュ底部のメッシュ孔形成領域より広い開口面積に設定されていることを特徴とするペット用トイレ。
【請求項８】
請求項７記載のペット用トイレにおいて、前記箱状体には、前記周面開口部から収納した前記尿受け容体を位置決めする位置決め部が設けられ、この位置決め部は、前記箱状体の底面部に設けられ、平面視において前記メッシュ底部のメッシュ孔形成領域が前記尿受け容体の上部開口部内に配される位置で該尿受け容体を位置決めするように構成されていることを特徴とするペット用トイレ。
【請求項９】
請求項８記載のペット用トイレにおいて、前記位置決め部は、平面視コ字状であり、前記尿受け容体を前記周面開口部から前記箱状体内に配設する際のガイド及びストッパーであることを特徴とするペット用トイレ。
【請求項１０】
請求項７〜９いずれか１項に記載のペット用トイレにおいて、前記メッシュ孔形成領域は、前記メッシュ底部の中央部に設けられ、このメッシュ孔形成領域の周辺には該メッシュ孔形成領域へ向けて傾斜する傾斜部が設けられていることを特徴とするペット用トイレ。
【請求項１１】
請求項６〜１０いずれか１項に記載のペット用トイレにおいて、前記周面開口部を閉塞しペットが前記排泄部に昇降するための昇降用階段が設けられていることを特徴とするペット用トイレ。
【発明の詳細な説明】
【技術分野】
【０００１】
本発明は、ペット用トイレに関するものである。
【背景技術】
【０００２】
従来から、猫や犬などのためのペット用トイレとして特許第５７６８１９９号に開示されるようなペット用トイレ（以下、従来例）が提案されている。
【０００３】
この従来例は、箱状のトイレ本体の上部に排泄部が設けられ、この排泄部には砂材（通称：トイレ砂）が配される砂受け部が設けられ、この砂受け部の底はメッシュ底部として設けられ、また、メッシュ底部の下方位置には、メッシュ底部を通過した尿を受ける尿受け部を設けたものである。尚、尿受け部には尿吸収シートが配設されている。
【０００４】
従って、従来例において、ペットが排泄部上に乗り、砂材に糞と尿をすると、糞は砂材に載置され、一方、尿は砂材及びメッシュ底部を通過して尿受け部に落下し、該尿受け部の尿吸収シートで吸収保持される。
【先行技術文献】
【特許文献】
【０００５】
【特許文献１】特許第５７６８１９９号公報
【発明の概要】
【発明が解決しようとする課題】
【０００６】
ところで、尿を吸収した尿吸収シートは、そのまま放置しておくと、アンモニア臭が強くなる。
【０００７】
従って、従来例の場合、尿吸収シートを頻繁に取り替えなければならず、しかも、尿吸収シートで吸収された尿は、トイレ本体の内部と外部との温度差により蒸発しトイレ本体の内面に付着し、尿吸収シートを取り替えてもアンモニア臭がトイレ本体に残ってしまうという問題点もある。
【０００８】
本発明は、前述した問題点を解消する、従来にない作用効果を発揮するペット用トイレを提供する。
【課題を解決するための手段】
【０００９】
添付図面を参照して本発明の要旨を説明する。
【００１０】
上部に排泄部２が設けられた箱状体１であり、この箱状体１の下部には該箱状体１の内部と外部とを通気する第一通気孔部３が設けられ、また、前記箱状体１の上部には該箱状体１の内部と外部とを通気する第二通気孔部４が設けられ、前記排泄部２の下方位置には、上部開口部を有し前記排泄部２を通過して落下する尿を受ける尿受け容体７が設けられ、前記箱状体１の内部にして前記第二通気孔部４へ流れる空気が通過する通気空間17には殺菌部20が設けられ、この殺菌部20は、前記箱状体１に設けられる光触媒11及び該光触媒11に光を照射する光照射部12で構成されていることを特徴とするペット用トイレに係るものである。
【００１１】
また、請求項１記載のペット用トイレにおいて、前記箱状体１の内部に設けられる基材９に前記光触媒11が設けられていることを特徴とするペット用トイレに係るものである。
【００１２】
また、請求項２記載のペット用トイレにおいて、前記基材９は前記箱状体１の内部に出し入れ自在に設けられていることを特徴とするペット用トイレに係るものである。
【００１３】
また、請求項１〜３いずれか１項に記載のペット用トイレにおいて、前記光触媒11として酸化チタンを採用したことを特徴とするペット用トイレに係るものである。
【００１４】
また、請求項１〜４いずれか１項に記載のペット用トイレにおいて、前記箱状体１には、光が透過可能な光透過部13が設けられ、この光透過部13から透過した光が前記光触媒11に照射されるように構成されていることを特徴とするペット用トイレに係るものである。
【００１５】
また、請求項１〜５いずれか１項に記載のペット用トイレにおいて、前記尿受け容体７は、前記箱状体１の周面部に設けられた周面開口部１ａ’から出し入れ自在に設けられていることを特徴とするペット用トイレに係るものである。
【００１６】
また、請求項１〜６いずれか１項に記載のペット用トイレにおいて、前記排泄部２には砂材５が配される砂受け部６が設けられ、この砂受け部６の底はメッシュ底部６ａとして設けられ、前記尿受け容体７の上部開口部７ａは、前記メッシュ底部６ａのメッシュ孔形成領域Ｍより広い開口面積に設定されていることを特徴とするペット用トイレに係るものである。
【００１７】
また、請求項７記載のペット用トイレにおいて、前記箱状体１には、前記周面開口部１ａ’から収納した前記尿受け容体７を位置決めする位置決め部14が設けられ、この位置決め部14は、前記箱状体１の底面部１ｂに設けられ、平面視において前記メッシュ底部６ａのメッシュ孔形成領域Ｍが前記尿受け容体７の上部開口部７ａ内に配される位置で該尿受け容体７を位置決めするように構成されていることを特徴とするペット用トイレに係るものである。
【００１８】
また、請求項８記載のペット用トイレにおいて、前記位置決め部14は、平面視コ字状であり、前記尿受け容体７を前記周面開口部１ａ’から前記箱状体１内に配設する際のガイド14ａ及びストッパー14ｂであることを特徴とするペット用トイレに係るものである。
【００１９】
また、請求項７〜９いずれか１項に記載のペット用トイレにおいて、前記メッシュ孔形成領域Ｍは、前記メッシュ底部６ａの中央部に設けられ、このメッシュ孔形成領域Ｍの周辺には該メッシュ孔形成領域Ｍへ向けて傾斜する傾斜部６ｂが設けられていることを特徴とするペット用トイレに係るものである。
【００２０】
また、請求項６〜１０いずれか１項に記載のペット用トイレにおいて、前記周面開口部１ａ’を閉塞しペットＣが前記排泄部２に昇降するための昇降用階段15が設けられていることを特徴とするペット用トイレに係るものである。
【発明の効果】
【００２１】
本発明は上述のように構成したから、前述した従来例に比し、例えばペットの排泄後（尿をした後）に長時間放置してもアンモニア臭により周辺環境が害されることを可及的に抑制でき、ひいてはペットを世話する人の排泄処理に伴う負担を軽減できるなど、従来にない作用効果を発揮する画期的なペット用トイレとなる。
【図面の簡単な説明】
【００２２】
【図１】本実施例を示す斜視図である。
【図２】本実施例の要部を説明する断面図である。
【図３】本実施例の要部を説明する断面図である。
【図４】本実施例の要部を説明する斜視図である。
【図５】本実施例の使用状態説明図である。
【図６】本実施例の使用状態説明図である。
【図７】別実施例の要部を説明する断面図である。
【図８】別実施例の使用状態説明図である。
【発明を実施するための形態】
【００２３】
好適と考える本発明の実施形態を、図面に基づいて本発明の作用を示して簡単に説明する。
【００２４】
ペットＣは箱状体１の排泄部２に乗り上がり排泄する。例えば尿は排泄部２を通過して尿受け容体７に落下する。
【００２５】
本発明は、箱状体１の下部には該箱状体１の内部と外部とを通気する第一通気孔部３が設けられ、また、箱状体１の上部には該箱状体１の内部と外部とを通気する第二通気孔部４が設けられており、ペットＣ（猫）の尿温度は平均３７．５〜３８．９度と高いことから、ペットＣの尿が箱状体１の下方に落下することで箱状体１内には、尿の温度と室内空気の温度差による温度差換気上昇気流が生じ、箱状体１の下部に設けられた第一通気孔部３は吸気孔として機能して箱状体１の外部の空気は吸気され、一方、箱状体１の上部に設けられた第二通気孔部４は排気孔として機能して箱状体１の内部の空気は排気される。
【００２６】
また、本発明は、箱状体１の内部にして第二通気孔部４へ流れる空気が通過する通気空間17には臭い殺菌部20が設けられ、この殺菌部20は、箱状体１に設けられる光触媒11及び該光触媒11に光を照射する光照射部12で構成されているから、前述した温度差換気上昇気流により通気空間17へ誘導される空気中の雑菌は、第二通気孔部４から排出される前に殺菌部20で殺菌される為、周辺環境が害されることを可及的に抑制できることになる。
【実施例】
【００２７】
本発明の具体的な実施例について図面に基づいて説明する。
【００２８】
本実施例は、上部に排泄部２が設けられた箱状体１であり、この箱状体１の下部には該箱状体１の内部と外部とを通気する第一通気孔部３が設けられ、また、箱状体１の上部には該箱状体１の内部と外部とを通気する第二通気孔部４が設けられ、排泄部２の下方位置には、上部開口部７ａを有し排泄部２を通過して落下する尿を受ける尿受け容体７が設けられたものである。
【００２９】
具体的には、箱状体１は、図１〜３に図示したように適宜な木製の部材で形成した所定高さを有する直方体形状の中空箱状体であり、正面部１ａ，底面部１ｂ，左右側面部１ｃ，背面部１ｄ及び天面部１ｅとで構成されている。尚、箱状体１は合成樹脂製でも金属製でも良い。
【００３０】
天面部１ｅには砂受け部６を有する排泄部２が設けられている。
【００３１】
この排泄部２は、天面部１ｅを正面部１ａ，左右側面部１ｃ及び背面部１ｄの上端部よりも低い位置となる陥没状に設けて構成されており、中央部位に方形状の貫通孔１ｅ’が設けられ、この貫通孔１ｅ’には砂受け部６が着脱自在に吊り下げ係止状態で設けられている。
【００３２】
砂受け部６は、図２に図示したように適宜な合成樹脂製の部材で形成した容体であり、底部には多数の孔６ａ’が設けられたメッシュ底部６ａが設けられ、このメッシュ底部６ａの周縁部に立ち上がり周壁部６ｃが設けられた構成である。
【００３３】
また、メッシュ底部６ａの中央部にはメッシュ孔形成領域Ｍが設けられ、このメッシュ孔形成領域Ｍの周辺領域には該メッシュ孔形成領域Ｍへ向けて傾斜する傾斜部６ｂが設けられている。
【００３４】
また、本実施例では、図２に図示したように後述する尿受け容体７の上部開口部７ａは、このメッシュ底部６ａのメッシュ孔形成領域Ｍより広い開口面積に設定されている。
【００３５】
また、箱状体１の正面部には周面開口部１ａ’が設けられており、この周面開口部１ａ’は、尿受け容体７及び後述する臭い吸着部８の容体９を出し入れ自在に設ける部位である。
【００３６】
尿受け容体７は、図２に図示したように適宜な木製の部材で形成した平面視方形状の上部開口部７ａを有する直方体形状の箱状体である。尚、尿受け容体７は合成樹脂製でも金属製でも良い。
【００３７】
この尿受け容体７にはビニール製の尿受け袋体16が着脱自在に設けられ、尿受け容体７の上部開口部７ａに尿受け袋体16の開口部を内側から外側へ折り返し係止することで装着される。
【００３８】
この尿受け容体７は、周面開口部１ａ’から箱状体１内にして砂受け部６の下方位置に配され、メッシュ底部６ａを通過して落下する尿を受けることになる。
【００３９】
本実施例では、この尿受け袋体16には吸水性及び保水性の高い高分子吸収材としての吸水樹脂Ｋと、この吸水樹脂Ｋの上層部に籾殻炭Ｓが収納される。
【００４０】
吸水樹脂Ｋとしては、例えば三洋化成株式会社製のサンフレッシュＳＴ−２５０（登録商標）・ＳＴ９００Ｅ／アクリル酸モノマー含有の樹脂／アクリル酸塩系（アクリル酸重合体部分ナトリウム塩架橋物の高吸水性樹脂）が採用されている。
【００４１】
尚、場合によっては、この吸水樹脂Ｋの替りに本出願人が特許第５３６０７６９号で提案する親水性籾殻炭（籾殻炭のグラファイト含有量を、この籾殻炭１ｇ当たり０．５ｇ未満としたもの）を採用しても良い。この親水性籾殻炭は吸水樹脂Ｋと比べて臭気を吸着する効果もあり、更に、環境負荷も少ない。
【００４２】
籾殻炭Ｓとしては、本出願人が特開２０１１−６７８０９で提案する撥水性籾殻炭（籾殻炭のグラファイト含有量を、籾殻炭１ｇ当たり０．５１ｇ以上とし、含水率２０％以下としたもの）が採用されている。尚、前述した吸水樹脂Ｋの場合と同様、この撥水性籾殻炭の替りに本出願人が特許第５３６０７６９号で提案する親水性籾殻炭（籾殻炭のグラファイト含有量を、この籾殻炭１ｇ当たり０．５ｇ未満としたもの）を採用しても良い。
【００４３】
また、箱状体１には、周面開口部１ａ’から収納した尿受け容体７を位置決めする位置決め部14が設けられ、この位置決め部14は、平面視においてメッシュ底部６ａのメッシュ孔形成領域Ｍが尿受け容体７の上部開口部７ａ内に配される位置で該尿受け容体７を位置決めするように構成されている。
【００４４】
具体的には、箱状体１の底面部１ｂは、周面開口部１ａ’から尿受け容体７を摺動配設し得るように構成され、この底面部１ｂには、平面視コ字状の位置決め部14が設けられ、この位置決め部14は、尿受け容体７の摺動を左右でガイドする左右のガイド14ａと、尿受け容体７に係止して摺動を阻止するストッパー14ｂとで構成されている。
【００４５】
また、本実施例は、箱状体１の下部には該箱状体１の内部と外部とを通気する第一通気孔部３が設けられると共に、箱状体１の上部には該箱状体１の内部と外部とを通気する第二通気孔部４が設けられている。
【００４６】
第一通気孔部３は、図１，２に図示したように左側面部１ｃの下方前方部位及び右側面部１ｃの下方後方部位に貫通孔３ａを設け、この貫通孔３ａ夫々にアミ部材３ｂを設けて構成され、一方、第二通気孔部４は、図１，２に図示したように天面部１ｅの左側後方コーナー部位及び右側前方コーナー部位に貫通孔４ａを設け、この貫通孔４ａ夫々にアミ部材４ｂを設けて構成されている。
【００４７】
この第一通気孔部３及び第二通気孔部４を設けることで、ペットＣの尿が箱状体１の下方に落下することで箱状体１内には尿の温度と室内空気の温度差による温度差換気で上昇気流が生じ、箱状体１の下部に設けられた第一通気孔部３は吸気孔として機能して箱状体１の外部の空気は吸気され、一方、箱状体１の上部に設けられた第二通気孔部４は排気孔として機能して箱状体１の内部の空気は排気される。
【００４８】
この温度差換気で生じる上昇気流により箱状体１の内部の空気は誘導され後述する通気空間17を通過する。
【００４９】
また、本実施例は、箱状体１の内部にして第二通気孔部４へ流れる空気が通過する通気空間17には臭い吸着部８及び殺菌部20が設けられている。
【００５０】
臭い吸着部８は、通気空間17に出し入れ自在に設けられる容体９に臭いを吸着する多孔質部材10を配設して構成されている。
【００５１】
具体的には、箱状体１の内部の上部左右位置には、天面部１ｅ，左右側面部１ｃ，底壁部17ａ及び内壁部17ｂとから成り箱状体１の奥行き方向に長さを有する箱状の通気空間17が設けられ、この通気空間17を構成する底壁部17ａ及び内壁部17ｂ夫々には通気孔17ａ’，17ｂ’が設けられ、この各通気孔17ａ’，17ｂ’から通気空間17内を通過した空気は第二通気孔部４から排気されるように構成されている。尚、この通気空間17に多孔質部材10を直接配設しても良い。
【００５２】
容体９は、図２〜４に図示したように適宜な金属製の部材で形成された通気性を有するカゴ状体であり、周面に多数の孔が設けられ、この容体９の孔の大きさは、多孔質部材10が抜け出ない大きさに設定されている。
【００５３】
この容体９に収納される多孔質部材10は活性炭であり、本実施例では株式会社ユー・イー・エス社製の粒状活性炭（ＫＤ−ＧＡ−Ｘ）を採用している（図４参照）。
【００５４】
また、本実施例では、容体９に配設する多孔質部材10として、多孔質部材10（活性炭）の表面に光触媒11（酸化チタン）が付設された株式会社ユー・イー・エス社製の粒状触媒活性炭（ＫＤＸ−Ｗ）も採用しており（図４参照）、この光触媒11が付設された多孔質部材10は、多孔質部材10の臭い吸着作用及び光触媒11に光を照射することによる殺菌作用（分解作用）の双方を発揮することになる。
【００５５】
また、本実施例では、通気空間17の天井部（天面部１ｅの下面）に、前述した光触媒11に光を照射する光照射部12が設けられている。
【００５６】
本実施例では、この光照射部12として紫外発光ダイオード（ＵＶＬＥＤ）を採用している。
【００５７】
また、箱状体１には、該箱状体１内に光が透過可能な光透過部13が設けられている。
【００５８】
具体的には、この光透過部13は、図１〜４に図示したように箱状体１の左右側面部１ｃ及び天面部１ｅ夫々に設けられる長窓状の開口部13ａに透明な光透過部材13ｂを設けて構成されている。
【００５９】
従って、この光透過部13から透過した光が容体９にある光触媒11に照射される。
【００６０】
図７，８は殺菌部20の別例である。
【００６１】
具体的には、図７は、通気空間17の天井部（天面部１ｅの下面）に銅製板状の基材９が付設され、この基材９の表面には前述した光触媒11が付設されており、この基材９に付設された光触媒11へ光を照射する光照射部12が通気空間17の底壁部17ａに設けられている。符号17ａ’は通気孔である。
【００６２】
図８は、容体９を前述した殺菌部20を構成する基材とした場合であり、この殺菌部20を構成する容体９には、光触媒11（石原産業株式会社製の光触媒酸化チタンＳＴＫ−２１１）が付設され、この容体９（基材）に付設された光触媒11へ光を照射する光照射部12が通気空間17の下方に設けられている。尚、この容体９には前述した多孔質部材10が配設されており、通気空間17を通過する空気に対し、光触媒11に光を照射することによる殺菌作用が発揮され、更に、多孔質部材10の臭い吸着作用双方が発揮されることになる。
【００６３】
また、本実施例は、周面開口部１ａ’を閉塞し前記ペットＣが前記排泄部２に昇降するための昇降用階段15が設けられている。
【００６４】
この昇降用階段15は、図１，３に図示したように適宜な木製の部材で形成されたものであり、箱状体１の周面開口部１ａ’を閉塞し得る大きさに設定されている。
【００６５】
この昇降用階段15により箱状体１の周面開口部１ａ’が閉塞されることで体裁が良いのは勿論、より一層周囲への匂いの拡散を抑制することができる。
【００６６】
以上の構成から成る本実施例に係るペット用トイレの使用状態について説明する。
【００６７】
ペットＣは箱状体１の排泄部２に乗り上がり、砂受け部６に設けられた砂材５で排泄する。糞は砂材５に載置され、尿は砂材５及びメッシュ底部６ａを通過して尿受け容体７に設けられる尿受け袋体16の籾殻炭Ｓに落下し、この籾殻炭Ｓに落下した尿は直ちに浸透して尿受け袋体16の底部に溜まる。この際、吸水樹脂Ｋは尿を吸って膨張しつつ尿を保持する（図５，６，７参照）。
【００６８】
この状態でペットＣが尿をした後の尿受け容体７に鼻を近づけて匂いを嗅いでも、アンモニア臭がほとんどしない。
【００６９】
これは、籾殻炭Ｓの匂い吸着効果による。しかも、尿は時間の経過とともにアンモニア臭が強くなるところ、籾殻炭Ｓに落下した尿が該籾殻炭Ｓ同士の間を直ちに通過して尿受け袋体16の底部に溜まり、アンモニア臭が強くなる頃には既に籾殻炭Ｓの上層部が所謂蓋となってアンモニア臭の拡散を抑制しているからと考える。
【００７０】
また、メッシュ底部６ａから落下する尿が籾殻炭Ｓに到達する前に尿受け袋体16の露出する内面に付着し、そのまま放置された場合、この付着した尿からアンモニア臭が拡散してしまうが、この点、本実施例は、尿受け容体７の上部開口部７ａは、平面視においてメッシュ底部６ａのメッシュ孔形成領域Ｍより広い開口面積に設定されている為、落下する尿が尿受け袋体16の露出する内面に付着することが可及的に防止される。
【００７１】
また、本実施例は、箱状体１の下部には該箱状体１の内部と外部とを通気する第一通気孔部３が設けられ、また、箱状体１の上部には該箱状体１の内部と外部とを通気する第二通気孔部４が設けられており、ペットＣの尿が箱状体１の下方に落下することで箱状体１内には上昇気流が生じ、箱状体１の下部に設けられた第一通気孔部３は吸気孔として機能して箱状体１の外部の空気は吸気され、一方、箱状体１の上部に設けられた第二通気孔部４は排気孔として機能して箱状体１の内部の空気は排気され（図５，６，７，８参照）、前述した温度差換気上昇気流により臭い（アンモニア臭）は通気空間17へ誘導される。
【００７２】
また、本実施例では、前述した臭い吸着部８及び殺菌部20により秀れた機能が発揮される。
【００７３】
具体的には、図５は、光触媒11が付設されていない多孔質部材10を容体９に配設した場合である。
【００７４】
この場合、第二通気孔部４へ流れる空気が通気空間17を通過することで、多孔質部材10による臭い吸着作用が発揮される。
【００７５】
次に、図６は、光触媒11が付設された多孔質部材10を容体９に配設し、更に、光照射部12から容体９の光触媒11に光を照射した場合である。尚、光透過部13からも光触媒11に光が照射される。
【００７６】
この場合、第二通気孔部４へ流れる空気が通気空間17を通過することで、多孔質部材10による臭い吸着作用及び光触媒11による殺菌作用が発揮される。
【００７７】
次に、図７は、前述したように光照射部12から光触媒11が付設された基材９の該光触媒11に光を照射した場合である。尚、光透過部13からも光触媒11に光が照射される。
【００７８】
この場合、第二通気孔部４へ流れる空気が通気空間17を通過することで、光触媒11による殺菌作用が発揮される。
【００７９】
次に、図８は、前述したように光触媒11が付設されていない多孔質部材10を容体９（基材）に配設し、更に、通気空間17の下方に設けられた光照射部12から容体９（基材）の光触媒11に光を照射した場合である。
【００８０】
この場合、第二通気孔部４へ流れる空気が通気空間17を通過することで、光触媒11による殺菌作用が発揮され、更に、多孔質部材10による臭い吸着作用が発揮される。
【００８１】
また、本実施例は、尿受け容体７は、箱状体１の側面部に設けられた周面開口部１ａ’から出し入れ自在に設けられているから、尿受け容体７への尿受け袋体16の着脱やペットＣの排泄後における砂受け部６の処理が簡易且つ良好に行えることになる。
【００８２】
また、本実施例は、箱状体１には、周面開口部１ａ’から収納した尿受け容体７を位置決めする位置決め部14が設けられ、この位置決め部14は、箱状体１の底面部１ｂに設けられ、平面視においてメッシュ底部６ａのメッシュ孔形成領域Ｍが尿受け容体７の上部開口部７ａ内に配される位置で該尿受け容体７を位置決めするように構成されているから、尿受け容体７を最適な位置に簡易且つ確実に配置することができる。
【００８３】
また、本実施例は、位置決め部14は、平面視コ字状であり、尿受け容体７を周面開口部１ａ’から箱状体１内に摺動配設する際のガイド14ａ及び尿受け容体７に係止して摺動を阻止するストッパー14ｂで構成されているから、簡易構造で前述した作用効果を確実に奏することができる。
【００８４】
また、本実施例は、メッシュ孔形成領域Ｍはメッシュ底部６ａの中央部に設けられ、このメッシュ孔形成領域Ｍの周辺領域には該メッシュ孔形成領域Ｍへ向けて傾斜する傾斜部６ｂが設けられているから、この点においてもアンモニア臭により周辺環境が害されることを可及的に抑制できることになる。
【００８５】
また、本実施例は、周面開口部１ａ’を閉塞しペットＣが排泄部２に昇降するための昇降用階段15が設けられているから、この昇降用階段15により箱状体１の周面開口部１ａ’が閉塞されることで体裁が良いのは勿論、より一層周囲への匂いの拡散を抑制することができる。
【００８６】
尚、本発明は、本実施例に限られるものではなく、各構成要件の具体的構成は適宜設計し得るものである。
【符号の説明】
【００８７】
Ｃ  ペット
Ｍ  メッシュ孔形成領域
１  箱状体
１ａ’  周面開口部
１ｂ  底面部
２  排泄部
３  第一通気孔部
４  第二通気孔部
５  砂材
６  砂受け部
６ａ  メッシュ底部
７  尿受け容体
７ａ  上部開口部
９  基材
11  光触媒
12  光照射部
13  光透過部
14  位置決め部
14ａ  ガイド
14ｂ  ストッパー
15  昇降用階段
17  通気空間
20  殺菌部
【図１】
2020022432.tif 000003
【図２】
2020022432.tif 000004
【図３】
2020022432.tif 000005
【図４】
2020022432.tif 000006
【図５】
2020022432.tif 000007
【図６】
2020022432.tif 000008
【図７】
2020022432.tif 000009
【図８】
2020022432.tif 000010